(57)【要約】      （修正有）【課題】レンズモジュールにおける押えリングの遮光機能向上と迷光防止を図る。【解決手段】押えリングは、リング状に形成され、反射防止膜１７を鍍着された本体部１１と、本体部１１を貫通して設置された光孔１２を有する。押えリングはさらに、本体部１１の内部に嵌設されたキャビティ１３と、キャビティ１３を外部に連通させる貫通孔１４と、孔塞ぎ部１５と、黒色充填材料１６と備え、孔塞ぎ部１５は貫通孔１４を密封するように貫通孔１４に覆設され、黒色充填材料１６がキャビティ１３内に充填されて構成される。【選択図】図１
2018072797.tif 000002
【特許請求の範囲】
【請求項１】
本体部及び前記本体部を貫通して設置された光孔を備える押えリングであって、
前記押えリングは、前記本体部の内部に嵌設されたキャビティと、前記キャビティを外部に連通させる貫通孔と、孔塞ぎ部と、黒色充填材料とを更に備え、前記孔塞ぎ部は前記貫通孔を密封するように前記貫通孔に覆設され、前記黒色充填材料は前記キャビティ内に充填されていることを特徴とする押えリング。
【請求項２】
前記本体部は、透明材料により製造されていることを特徴とする請求項1に記載の押えリング。
【請求項３】
前記押えリングは、前記本体部の表面に貼設された反射防止膜を更に備えることを特徴とする請求項２に記載の押えリング。
【請求項４】
前記本体部は、頂面と、前記頂面に対向して設置された底面と、前記頂面と前記底面を接続する側壁とを備え、前記側壁は、前記光孔に近い内側面及び前記内側面に対向して設置された外側面を有し、前記キャビティは、順に連通する第１のキャビティ、第２のキャビティ及び第３のキャビティを備え、前記第１のキャビティは、前記頂面に平行に設置され、前記第２のキャビティは、前記内側面に平行に設置され、前記第３のキャビティは、前記底面に平行に設置されていることを特徴とする請求項1に記載の押えリング。
【請求項５】
前記内側面は、第１の面と、前記第１の面から折り曲げ、延在する第２の面とを備え、前記第１の面は前記頂面に接続され、前記第２の面は前記底面に接続され、前記第２のキャビティは、それぞれ前記第１の面と前記第２の面と対応して設置された上キャビティ及び下キャビティを備え、前記上キャビティは、前記第１のキャビティに連通し、前記下キャビティは、前記第３のキャビティに連通していることを特徴とする請求項４に記載の押えリング。
【請求項６】
前記黒色充填材料は、黒色液体であることを特徴とする請求項１に記載の押えリング。
【請求項７】
前記黒色充填材料は、グラフェン液体であることを特徴とする請求項６に記載の押えリング。
【請求項８】
押えリングの加工方法であって、当該方法は、
押えリングのモールドを提供し、射出成形により押えリングを形成し、前記押えリングの内部において前記押えリングの表面に平行するキャビティを有するようにするステップと、
前記押えリングの表面に一層の反射防止膜を鍍着する、反射防止膜を貼設するステップと、
前記押えリングの表面に貫通孔を開設し、前記貫通孔により前記キャビティを外部に連通させる、開孔するステップと、
前記貫通孔により前記キャビティ内に黒色充填材料を注入する、材料を注入するステップと、
前記貫通孔を密封する、孔を密封するステップと、
を備えることを特徴とする押えリングの加工方法。
【請求項９】
前記押えリングは、透明材料により一体射出成形されており、前記黒色充填材料は、グラフェン液体であることを特徴とする請求項８に記載の押えリングの加工方法。
【請求項１０】
レンズモジュールであって、当該レンズモジュールは、レンズ鏡筒と、前記レンズ鏡筒内に収納されたレンズと、請求項１〜７の何れか１項に記載の押えリングとを備え、前記押えリングは前記レンズの像側に設置され、前記レンズを前記レンズ鏡筒内に固定することを特徴とするレンズモジュール。
【発明の詳細な説明】
【技術分野】
【０００１】
本発明は、光学結像分野に関し、特に、撮影製品分野に用いられる押えリング、押えリングの加工方法及びレンズモジュールに関するものである。
【背景技術】
【０００２】
科学技術が絶えずに発展していることに伴い、電子デバイスが絶えずにスマート化へ進化しており、ユーザーが、随時に撮影できるニーズを満たすために、デジタルカメラの他、携帯型電子デバイス、例えばタブレットＰＣ、携帯電話等にも、撮影機能付きのレンズモジュールが配置されるようになっている。
【０００３】
関連技術におけるレンズモジュールは、レンズ鏡筒と、前記レンズ鏡筒内に設置されたレンズと、隣り合う２つのレンズの間に挟まれた遮光シート又は遮光板と、下層のレンズと前記レンズ鏡筒との間に設置された押えリングとを備え、接着剤を塗布する方法で前記押えリングを前記レンズ鏡筒に固定することにより、前記レンズを固定することができる。
【０００４】
しかしながら、関連技術において、前記レンズモジュールにおける前記押えリングは、前記レンズを前記レンズ鏡筒内に固定し、前記レンズに遮光機能を与えるのに用いられているが、前記押えリングは、普通の射出成形で成形されているため、様式が単一であり、遮光効果が優れず、さらに迷光も存在しており、前記レンズモジュールの光学性能に影響を与えてしまう問題がある。
【０００５】
従って、上述した問題を解決するために、新型の押えリング、押えリングの加工方法及びレンズモジュールを提供する必要がある。
【発明の概要】
【発明が解決しようとする課題】
【０００６】
本発明が解決しようとする技術課題は、光学性能がより優れ、材料の光透過性能を検証できる押えリング、その加工方法及び光学性能が良いレンズモジュールを提供することである。
【課題を解決するための手段】
【０００７】
上述した技術課題を解決するために、本発明により押えリングが提供され、当該押えリングは、本体部及び前記本体部を貫通して設置された光孔を備え、前記押えリングは、前記本体部の内部に嵌設されたキャビティと、前記キャビティを外部に連通させる貫通孔と、孔塞ぎ部と、黒色充填材料とを更に備え、前記孔塞ぎ部は前記貫通孔を密封するように前記貫通孔に覆設され、前記黒色充填材料は前記キャビティ内に充填されている。
【０００８】
好ましくは、前記本体部は、透明材料により製造されている。
【０００９】
好ましくは、前記押えリングは、前記本体部の表面に貼設された反射防止膜を更に備える。
【００１０】
好ましくは、前記本体部は、頂面と、前記頂面に対向して設置された底面と、前記頂面と前記底面を接続する側壁とを備え、前記側壁は、前記光孔に近い内側面及び前記内側面に対向して設置された外側面を有し、前記キャビティは、順に連通する第１のキャビティ、第２のキャビティ及び第３のキャビティを備え、前記第１のキャビティは、前記頂面に平行に設置され、前記第２のキャビティは、前記内側面に平行に設置され、前記第３のキャビティは、前記底面に平行に設置されている。
【００１１】
好ましくは、前記内側面は、第１の面と、前記第１の面から折り曲げ、延在する第２の面とを備え、前記第１の面は前記頂面に接続され、前記第２の面は前記底面に接続され、前記第２のキャビティは、それぞれ前記第１の面と前記第２の面と対応して設置された上キャビティ及び下キャビティを備え、前記上キャビティは、前記第１のキャビティに連通し、前記下キャビティは、前記第３のキャビティに連通している。
【００１２】
好ましくは、前記黒色充填材料は、黒色液体である。
【００１３】
好ましくは、前記黒色充填材料は、グラフェン液体である。
【００１４】
本発明により、押えリングの加工方法も提供され、当該方法は、
押えリングのモールドを提供し、射出成形により押えリングを形成し、前記押えリングの内部において前記押えリングの表面に平行するキャビティを有するようにするステップと、前記押えリングの表面に一層の反射防止膜を鍍着する、反射防止膜を貼設するステップと、前記押えリングの表面に貫通孔を開設し、前記貫通孔により前記キャビティを外部に連通させる、開孔するステップと、前記貫通孔により前記キャビティ内に黒色充填材料を注入する、材料を注入するステップと、前記貫通孔を密封する、孔を密封するステップとを備える。
【００１５】
好ましくは、前記押えリングは、透明材料により一体射出成形されており、前記黒色充填材料は、グラフェン液体である。
【００１６】
本発明は、レンズ鏡筒と、前記レンズ鏡筒内に収納されたレンズと、本発明により提供された押えリングとを備えるレンズモジュールも提供し、前記押えリングは前記レンズの像側に設置され、前記レンズを前記レンズ鏡筒内に固定する。
【発明の効果】
【００１７】
従来技術に比べ、本発明に係る押えリングは、透明材料により射出成形され、その内部にキャビティが開設されており、且つ前記キャビティに黒色充填材料が充填されている。これにより、前記レンズを固定する役割を果たすだけではなく、前記押えリングが迷光をより多く吸収してフィルタリングすることができる。前記押えリングが本発明により提供された前記レンズモジュールに用いられる場合、その組立工程が簡単であり、光学性能がより優れる。本発明に係る押えリングの加工方法は、簡単であり、加工された前記押えリングの遮光性能がより優れる。
【図面の簡単な説明】
【００１８】
【図１】本発明に係る押えリングの構造を示す模式図である。
【図２】本発明に係る押えリングの加工方法を示すフローチャートである。
【図３】本発明に係るレンズモジュールの構造を示す模式図である。
【発明を実施するための形態】
【００１９】
以下、図面及び実施例を参照しながら、本発明について更に詳しく説明する。
【００２０】
図１は、本発明に係る押えリングの構造を示す模式図である。本発明は、本体部１１と、光孔１２と、キャビティ１３と、貫通孔１４と、孔塞ぎ部１５と、黒色充填材料１６と、反射防止膜１７とを備える押えリング１０を提供する。
【００２１】
前記本体部１１は、透明材料により製造されているため、より多くの光がその表面を透過できるようにする。
【００２２】
前記光孔１２は、前記本体部１１を貫通して設置されており、これにより、前記本体部１１がリング状に形成されている。
【００２３】
前記キャビティ１３は、前記本体部１１の内部に嵌設されており、前記黒色充填材料１６は、前記キャビティ１３内に充填されている。当該構造により、光が前記本体部１１の表面を通過した後に前記黒色充填材料１６に遮断されて吸収される。本実施形態において、より好ましくは、前記黒色充填材料１６は、黒色液体であり、例えば、グラフェン液体等である。前記黒色充填材料１６は、これに限られるものではなく、黒色インク又は黒色塗料等であっても良く、前記キャビティ１３を充填して遮光効果を奏することができれば良い。液体の流動性が強く、充填時に、隙間なく充満しやすいため、遮光効果がより優れる。
【００２４】
前記貫通孔１４は、前記本体部１１に開設され、前記貫通孔１４により前記キャビティ１３を外部に連通する。前記貫通孔１４は、前記黒色充填材料１６を前記キャビティ1３内に注入するために用いられる。
【００２５】
前記孔塞ぎ部１５は、前記貫通孔１４に覆設されており、前記貫通孔１４を密封するために用いられる。本実施形態においては、前記孔塞ぎ部１５は、これに限られるものではなく、接着剤又は他の密封部材であっても良く、前記貫通孔１４を填塞し密封することができれば良い。
【００２６】
より好ましくは、前記本体部１１、前記キャビティ１３及び前記貫通孔１４は、一体射出成形されている。
【００２７】
前記反射防止膜１７は、前記本体部１１に貼設され、本実施形態において、前記反射防止膜１７が前記本体部１１に貼り合わせられる方法は、鍍着であり、即ち、前記本体部１１の表面に一層の前記反射防止膜１７を鍍着する。前記反射防止膜１７により、より多くの光が前記本体部１１の表面を透過して前記黒色充填材料１６に吸収される。
【００２８】
本実施形態においては、具体的には、前記本体部１１は、頂面１１１と、前記頂面１１１に対向して設置された底面１１２と、前記頂面１１１及び前記底面１１２を接続する側壁１１３とを備える。前記側壁１１３は、前記光孔１２に近い内側面１１３１と、前記内側面１１３１に対向して設置された外側面１１３２とを備える。
【００２９】
前記キャビティ１３は、順に連通する第１のキャビティ１３１、第２のキャビティ１３２及び第３のキャビティ１３３を備える。前記第１のキャビティ１３１は、前記頂面１１１に平行に設置され、前記第２のキャビティ１３２は、前記内側面１１３１に平行に設置され、前記第３のキャビティ１３３は、前記底面１１２に平行に設置されている。
【００３０】
上述した構造により、前記キャビティ１３が前記本体部１１の形状に沿って設置されているため、前記本体部１１を通過した光は、全て前記キャビティ１３に入射され、前記キャビティ１３内における前記黒色充填材料１６に吸収される。当該構造による機能を用いて、異なる材料が迷光に与える影響を検証することができる。
【００３１】
本実施形態においては、より好ましくは、前記内側面１１３１は、第１の面１１３１ａと、第１の面１１３１ａから折り曲げ、延在する第２の面１１３１ｂとを備え、前記第１の面１１３１ａは、前記頂面１１１と接続され、前記第２の面１１３１ｂは、前記底面１１２と接続され、前記第２のキャビティ１３２は、それぞれ前記第１の面１１３１ａ及び前記第２の面１１３１ｂに対応して設置された上キャビティ１３２ａと下キャビティ１３２ｂを備え、前記上キャビティ１３２ａは、前記第１のキャビティ１３１に連通し、前記下キャビティ１３２ｂは、前記第３のキャビティ１３３に連通している。
【００３２】
前記押えリング１０の内部に前記キャビティ１３を開設し、その中に前記黒色充填材料１６を充填することにより、前記押えリング１０自身が、遮光作用を有するようにし、遮光効果がより優れる。
【００３３】
本発明により、押えリングの加工方法も提供され、図１〜２に示すように、図２は、本発明の押えリングの加工方法を示すフローチャートである。本発明ににより提供された前記押えリング１０を例とし、当該方法は、下記ステップを備える。
ステップS１であって、押えリングのモールド（図示せず）を提供し、射出成形により押えリング１０を形成し、前記押えリング１０の内部において前記押えリングの表面に平行するキャビティ１３を有するようにする。前記押えリング１０は、本体部１１及び前記本体部１１を貫通して設置された光孔１２を備える。より好ましくは、前記押えリング１０は、透明材料により一体射出成形されている。
ステップS２であって、反射防止膜１７を貼設する。前記押えリング１０の表面に一層の前記反射防止膜１７を鍍着する。
ステップS３であって、開孔する。前記押えリング１０の表面に前記貫通孔１４を開設し、前記貫通孔１４により、前記キャビティ１３を外部に連通する。
ステップS４であって、材料を注入する。前記貫通孔１４により前記キャビティ１３内に前記黒色充填材料１６を注入する。
ステップS５であって、孔を密封する。前記貫通孔１４を密封し、例えば、前記孔塞ぎ部１５又は接着剤等により密封しても良い。
【００３４】
なお、ステップS２は、ステップS３又はステップS4又はステップS５の後に行われても良い。
【００３５】
図３は、本発明に係るレンズモジュールの構造を示す模式図である。本発明は、レンズ鏡筒２０と、前記レンズ鏡筒２０内に収納されたレンズ３０と、本発明により提供された押えリング１０とを備えるレンズモジュール１００も提供し、前記押えリング１０は、前記レンズ３０の像側に設置され、前記レンズ３０を前記レンズ鏡筒２０内に固定する。
【００３６】
本実施形態においては、前記レンズ３０は、一枚であっても良く、複数枚を順に積層して設置しても良い。前記押えリング１０が前記レンズ３０の像側に設置されていることは、物体側から像側への方向において、最後の一枚の前記レンズ３０の像側面に設置されていることを意味する。
【００３７】
従来技術に比べ、本発明に係る押えリングは、透明材料により射出成形され、その内部にキャビティが開設されており、且つ前記キャビティに黒色充填材料が充填されている。これにより、前記レンズを固定する役割を果たすだけではなく、前記押えリングが迷光をより吸収してフィルタリングすることができる。前記押えリングが本発明により提供された前記レンズモジュールに用いられる場合、その組立工程が簡単であり、光学性能がより優れる。本発明に係る押えリングの加工方法は、簡単であり、加工された前記押えリングの遮光性能がより優れる。
【００３８】
上述したのは本発明の実施例に過ぎず、本発明の特許請求の範囲を限定するものではなく、本発明の明細書及び図面内容に基づき、変更を行って得られた等価構造又は等価のフロー変換、又は他の関連する技術分野への直接又は間接運用は、いずれも同じ理由で本発明の特許保護範囲内に含まれる。
【図１】
2018072797.tif 000003
【図２】
2018072797.tif 000004
【図３】
2018072797.tif 000005